(57)【要約】【課題】蹴上げ面に表示された運転方向等の表示内容が見易く、且つ、表示内容の変更も容易で安価に構成することができるマンコンベアの表示装置を得る。【解決手段】マンコンベアの両乗降口間を循環移動する踏段２のうち、所定範囲内にある踏段２の蹴上げ面２ａに、例えば、欄干４の踏段２側側面や下部乗降口の床面等に設けられた投光部７、８から光を照射して、運転方向等の所定の情報を踏段２の蹴上げ面２ａに表示する。また、センサにより利用者を検出した場合にマンコンベアを起動させるものにおいては、センサの検出結果に応じて運転方向の表示を制御することにより、サービス低下を招くことなく効果的に運転方向を表示させて、且つ、省エネ効果を向上させる。【選択図】図１
2007254061.tif 000002
【特許請求の範囲】
【請求項１】
両乗降口間を循環移動する踏段と、
所定範囲内にある前記踏段の蹴上げ面に前記踏段の外部側から光を照射して、所定の情報を前記踏段の前記蹴上げ面に表示する表示手段と、
を備えたことを特徴とするマンコンベアの表示装置。
【請求項２】
表示手段は、欄干の踏段側側面から光を照射して、所定範囲内にある踏段の蹴上げ面に所定の情報を表示することを特徴とする請求項１に記載のマンコンベアの表示装置。
【請求項３】
表示手段は、下部乗降口の床面から光を照射して、所定範囲内にある踏段の蹴上げ面に所定の情報を表示することを特徴とする請求項１に記載のマンコンベアの表示装置。
【請求項４】
表示手段は、踏段の蹴上げ面に運転方向を表示することを特徴とする請求項１から請求項３の何れかに記載のマンコンベアの表示装置。
【請求項５】
表示手段は、連続する複数段の踏段の蹴上げ面に光を照射して、前記光を前記複数段の踏段に追従させることにより運転方向を表示することを特徴とする請求項４に記載のマンコンベアの表示装置。
【請求項６】
利用者を検出した際に踏段を動作させてマンコンベアを起動し、利用者を所定時間検出しない場合に前記マンコンベアを待機状態とするセンサを備え、
表示手段は、前記マンコンベアの待機状態の際に、前記踏段の蹴上げ面に運転方向を表示することを特徴とする請求項４又は請求項５に記載のマンコンベアの表示装置。
【請求項７】
表示手段は、センサにより利用者が検出された際に、踏段の蹴上げ面への運転方向の表示を中断することを特徴とする請求項６に記載のマンコンベアの表示装置。
【発明の詳細な説明】
【技術分野】
【０００１】
この発明は、マンコンベアの踏段の蹴上げ面に運転方向等を表示するマンコンベアの表示装置に関するものである。
【背景技術】
【０００２】
マンコンベアの踏段の蹴上げ面に運転方向を表示する従来の表示装置には、各踏段の蹴上げ面に運行方向を示す矢印の形をした光透過孔を形成して、各踏段の内側に設置した光源からの光を光透過孔から照射するように構成したものが提案されている（例えば、特許文献１参照）。
【０００３】
また、マンコンベアの踏段の蹴上げ面に広告等を表示する従来の表示装置として、各踏段の蹴上げ面に、指示や宣伝広告等の意思伝達事項が表示された表示媒体（ステッカーや発光ダイオードの集合体等）を装着したものが提案されている（例えば、特許文献２参照）。
【０００４】
【特許文献１】特開２００５−４７６３９号公報
【特許文献２】特開２００１−２６１２７６号公報
【発明の開示】
【発明が解決しようとする課題】
【０００５】
特許文献１記載のものでは、踏段上にいる乗客のつま先等が挟まれることのないように、各踏段の蹴上げ面に形成された光透過孔を半透明や乳白色の樹脂板等で覆う必要があった。また、光透過孔から光を照射するための光源を、各踏段の蹴上げの裏側（各踏段の内部側）に装備する必要があった。このため、据付時の作業性が悪く、コスト高の要因となっていた。また、踏段の蹴上げ面は、乗客のつま先や靴裏等が接触して汚れ易いことから、蹴上げの裏側（踏段の内部側）に光源を配置した場合には、樹脂板に付着した汚れ等により、運転方向の表示が見づらくなるといった問題もあった。
【０００６】
一方、特許文献２記載のものでは、例えば、各踏段の蹴上げ面にステッカーが装着された場合には、表示内容を変更する際に各踏段のステッカーを貼りかえる作業が必要となり、作業性が悪いという問題があった。また、ステッカーに汚れが付着した場合には、特許文献１記載のものと同様に、表示内容が見づらくなるといった問題もあった。
【０００７】
この発明は、上述のような課題を解決するためになされたもので、その目的は、蹴上げ面に表示された運転方向等の表示内容が見易く、且つ、表示内容の変更も容易で安価に構成することができるマンコンベアの表示装置を提供することである。
【課題を解決するための手段】
【０００８】
この発明に係るマンコンベアの表示装置は、両乗降口間を循環移動する踏段と、所定範囲内にある踏段の蹴上げ面に踏段の外部側から光を照射して、所定の情報を踏段の蹴上げ面に表示する表示手段とを備えたものである。
【発明の効果】
【０００９】
この発明は、両乗降口間を循環移動する踏段と、所定範囲内にある踏段の蹴上げ面に踏段の外部側から光を照射して、所定の情報を踏段の蹴上げ面に表示する表示手段とを備える構成としたことで、蹴上げ面に表示された運転方向等の表示内容が見易く、且つ、表示内容の変更も容易で安価に構成することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるマンコンベアの表示装置を示す斜視図であり、上りのエスカレータの下部側（乗り口側）を示したものである。図１において、１は上面が下部乗降口（乗り口）の床面を形成するランディングプレート、２は下部乗降口及び上部乗降口（図示せず）間を循環移動し、その上面にエスカレータの利用者が乗る踏段、３は上端部が踏段２の往路側に同期するように下部乗降口及び上部乗降口間を循環移動する移動手摺、４は踏段２の両側に設けられたデッキボード５に立設されて移動手摺３を支持する欄干、６はランディングプレート１の踏段２側に設けられたコムプレートである。
【００１２】
また、７は欄干４の踏段２側側面うち、ニュアル部４ａ又はニュアル部４ａ近傍に設けられた投光部であり、欄干４内に設けられた光源（図示せず）からの光がこの投光部７から踏段２の蹴上げ面２ａに対して照射されて、運転方向等の所定の情報が蹴上げ面２ａに表示される。ここで、上記運転方向等の所定の情報は、下部乗降口から所定距離離れた所定範囲内にある踏段２の蹴上げ面２ａに映し出され、特に、下部乗降口及び下部乗降口付近にいる利用者に対して表示される。なお、上記投光部７から照射される光は、その照射向きが固定されて上記所定範囲内を通過する踏段２が運転方向等の表示位置に達した際にその蹴上げ面２ａに表示内容が映し出される構成としても良いし、踏段２の設置位置並びに移動速度及び移動方向等を検出して上記所定範囲内を通過する踏段２の蹴上げ面２ａに運転方向等の所定の情報が常時表示されるようにその照射向きが制御される構成としても良い。
【００１３】
なお、踏段２の外部側、即ち、上記投光部７から光を照射して踏段２の蹴上げ面２ａに運転方向等の所定の情報を映し出す表示手段としては、例えば、レーザーポインターや幻灯機、液晶プロジェクター等が採用される。そして、かかる表示手段を採用することにより、随時任意の運転方向表示や、模様、広告等を蹴上げ面２ａに映し出すことが可能となり、また、表示内容、模様のみならず光の色も容易に変化させることが可能となる。
【００１４】
かかる構成を有することにより、エスカレータの踏段２の蹴上げ面２ａに運転方向等を見易く表示することができるとともに、その表示内容の変更も容易で、表示装置全体を安価に構成することが可能となる。即ち、従来とは異なり、所定範囲内にある踏段２の蹴上げ面２ａに対して踏段２の外部側から光を照射して運転方向等の所定の情報を表示するため、踏段２の蹴上げ面２ａに多少の汚れが付着した場合であってもその表示内容が見づらくなる恐れはなく、その汚れの上からでも運転方向等を表示させて、表示内容を利用者に対して確実に認識させることができる。
【００１５】
また、上述の通り、種々の表示手段を採用することによって表示内容の変更も容易となり、従来のように各踏段２に対してステッカー等の貼りかえ等の作業も必要なく、表示内容の変更を短時間で安価に実施することが可能となる。なお、既設のエスカレータに対して上記表示手段等を新設する場合も、各踏段２に光源等を追加する必要もなく、投光部７、光源、制御装置等を欄干４等に追加するのみで対応することができ、作業時間の短縮、コストの低減を図ることが可能である。
【００１６】
なお、実施の形態１においては、欄干４の踏段２側側面に投光部７を配置しているが、所定範囲内を移動する踏段２の蹴上げ面２ａに運転方向等を表示させることができれば、投光部７や光源等の配置は如何なる位置でも構わない。したがって、投光部７や光源等をエスカレータの他の部分に配置したり、エスカレータから離れた他の設備に配置したりしても良い。ただし、実施の形態１のように投光部７を欄干４の踏段２側側面に配置することにより、踏段２の蹴上げ面２ａに対して近接した位置から光を照射することができ、光源の消費電力の軽減を図ることができるとともに、エスカレータの利用者以外の者に光を遮られたりすることがなく、実用的である。
【００１７】
また、エスカレータには、省エネ等の観点から、利用者を検出した際に踏段２や移動手摺３を動作させてエスカレータを起動し、利用者を所定時間検出しない場合に踏段２や移動手摺３を静止させたり低速移動させたりしてエスカレータを待機状態とするものがある。かかる構成のエスカレータでは、利用者を検出するセンサ（図示せず）が乗降口等に設けられ、このセンサの検出結果に基づいてエスカレータの起動及び待機状態が制御されるため、上記表示手段もこのセンサの検出結果に応じて制御することにより、省エネ等の各種効果が期待できる。なお、以下に具体的な内容について説明するが、特に、上記表示手段によって踏段２の蹴上げ面２ａに運転方向を表示する場合について説明する。
【００１８】
図２はこの発明の実施の形態１におけるマンコンベアの表示装置の動作を示すタイムチャートである。図２に示すエスカレータでは、エスカレータを起動したり待機状態としたりする上記センサが乗降口に備えられている。そして、エスカレータが待機状態にあり踏段２及び移動手摺３が静止している場合、所定範囲内にある踏段２の蹴上げ面２ａには、上記表示手段により運転方向が表示されている。ここで、この運転方向の表示を見た利用者がエスカレータに乗ろうとすると、上記センサによって利用者が検出され、踏段２及び移動手摺３が所定の速度となるまで所定の加速度で加速されるとともに、表示手段により踏段２の蹴上げ面２ａへの運転方向の表示が中断される。即ち、表示手段の光源から光が出射されなくなる。
【００１９】
また、上記センサにより利用者が検出されてから所定時間内に新たな利用者が検出されない場合には、エスカレータを待機状態とするため、踏段２及び移動手摺３が所定の減速度で減速されて最終的に静止される。具体的には、センサにより利用者が検出されると同時にタイマにより時間が計測され、タイマに設定された時間内に新たな利用者がセンサにより検出されない場合にエスカレータを待機状態に移行させる。なお、タイマに設定された時間内に新たな利用者がセンサにより検出された場合には、タイマに設定された時間がリセットされ、再度時間の計測が再開される。そして、上記タイマにより設定された時間内に新たな利用者が検出されずエスカレータが待機状態に移行されると、表示手段により踏段２の蹴上げ面２ａへの運転方向の表示が再開され、この表示手段による運転方向の表示が上記センサによって利用者が検出されるまで継続される。
【００２０】
かかる構成を有することにより、上記構成のエスカレータにおいて、運転方向の表示を要時のみ実施でき、省エネ効果を向上させることが可能となる。即ち、エスカレータの待機状態の際には、表示手段により所定範囲内にある踏段２の蹴上げ面２ａに運転方向が表示されるため、乗降口或いは乗降口付近にいる利用者が容易に運転方向を認識することができる。なお、エスカレータの待機状態の際に運転方向を表示するのは、上記構成のエスカレータにおいては待機状態の際に踏段２や移動手摺３が動作していないため、上記表示手段による表示がない場合には、エスカレータをこれから利用しようとする者が、運転方向を認識することができないためである。
【００２１】
また、上記センサにより利用者が検出された際には、踏段２の蹴上げ面２ａへの運転方向の表示が中断されるため、表示手段の消費電力を削減することが可能となる。なお、センサにより利用者が検出された際に運転方向の表示を中断するのは、利用者がある場合には、他の利用者は、踏段２に乗って移動する利用者を見ればその運転方向を容易に認識することができ、踏段２の蹴上げ面２ａに運転方向を表示させる必要がないためである。したがって、サービス低下を招くことなく効果的に運転方向を表示させて、且つ、省エネ効果を向上させることが可能となる。
【００２２】
なお、図２においては、センサによって利用者が検出されるのと同時に表示手段による運転方向の表示を中断しているが、例えば、センサによって利用者が検出されてから所定時間経過後に上記運転方向の表示を中断したり、踏段２の速度が所定値に達した際に上記運転方向の表示を中断したりするように構成しても良い。また、図２においては、センサにより利用者が検出されてから所定時間内に新たな利用者が検出されない場合に、踏段２の減速と同時に表示手段による運転方向の表示を再開するようにしているが、例えば、踏段２が完全に停止してから上記運転方向の表示を再開したりするように構成しても、上記と同様の効果を奏することは言うまでもない。
【００２３】
また、図３はこの発明の実施の形態１におけるマンコンベアの表示装置の動作を示すタイムチャートであり、利用者をセンサにより所定時間検出しない場合に踏段２及び移動手摺３を低速移動させてエスカレータを待機状態とするものについて示したものである。なお、上記構成のエスカレータにおける表示手段の制御は、図２に示す場合と基本的に同様であり、かかる場合にも、図２に示す場合と同様の効果を奏することができる。
【００２４】
実施の形態２．
図４はこの発明の実施の形態２におけるマンコンベアの表示装置を示す斜視図である。図４において、８は下部乗降口の床面に設けられた投光部であり、ランディングプレート１の下方に設けられた表示手段の光源（図示せず）からの光がこの投光部８から所定範囲内にある踏段２の蹴上げ面２ａに照射されて、運転方向等の所定の情報が蹴上げ面２ａに表示される。なお、その他の構成は実施の形態１と同様である。かかる構成を有することにより、実施の形態１と同様の効果を奏することができるとともに、所定範囲内にある踏段２の蹴上げ面２ａに対して下方から光を当てて所定の情報を表示させるため、踏段２の陰影が際立ち、より大きな視覚的効果を期待することができる。
【００２５】
実施の形態３．
図５はこの発明の実施の形態３におけるマンコンベアの表示装置を示す斜視図である。なお、実施の形態３における表示手段、投光部は図示されていないが、その構成は、実施の形態１又は２における表示手段及び投光部と同様である。ここで、実施の形態３における表示手段は、所定範囲内を移動する踏段２のうち連続する複数段の踏段２の蹴上げ面２ａに光を照射して、その光を上記複数段の踏段２に追従させることにより運転方向を表示する。即ち、エスカレータの利用者は、踏段２の蹴上げ面２ａに照射された光の動きを見て、運転方向を認識する。なお、図５は、２段の踏段２に光を照射して、運転方向を表示する場合について示している。かかる構成を有することにより、光の動きで運転方向を表示することができるため、細かい文字や図柄（矢印）等を蹴上げ面２ａに表示させる必要はなく、より遠くにいる利用者に対しても運転方向を認識させることが可能となる。また、踏段２の蹴上げ面２ａに汚れが付着した場合であっても、視認性が低下し難く、より実用的である。
【図面の簡単な説明】
【００２６】
【図１】この発明の実施の形態１におけるマンコンベアの表示装置を示す斜視図である。
【図２】この発明の実施の形態１におけるマンコンベアの表示装置の動作を示すタイムチャートである。
【図３】この発明の実施の形態１におけるマンコンベアの表示装置の動作を示すタイムチャートである。
【図４】この発明の実施の形態２におけるマンコンベアの表示装置を示す斜視図である。
【図５】この発明の実施の形態３におけるマンコンベアの表示装置を示す斜視図である。
【符号の説明】
【００２７】
１  ランディングプレート
２  踏段
２ａ  蹴上げ面
３  移動手摺
４  欄干
４ａ  ニュアル部
５  デッキボード
６  コムプレート
７、８  投光部
【図１】
2007254061.tif 000003
【図２】
2007254061.tif 000004
【図３】
2007254061.tif 000005
【図４】
2007254061.tif 000006
【図５】
2007254061.tif 000007